(57)【特許請求の範囲】
【請求項１】
糸巻を収納するための糸巻収納ケースであって、
ケース本体と、
前記ケース本体に設けられ、前記糸巻を上下方向に傾斜可能に保持する保持部と、
前記ケース本体に係合する蓋部材とを備え、
前記保持部は、前記ケース本体に収納される糸巻の延びる方向に中心からずれて設けられ、前記糸巻が上下方向に傾斜可能に回動する支点である、糸巻収納ケース。
【請求項２】
前記ケース本体の底面には、前記保持部に保持される糸巻の一端が当接する支持面と、前記糸巻の他端に対応し前記支持面より低い凹部とが形成されている、請求項１に記載の糸巻収納ケース。
【請求項３】
前記保持部は前記支持面と前記凹部との間の中心から前記凹部側にずれて設けられている、請求項２に記載の糸巻収納ケース。
【発明の詳細な説明】
【０００１】
【産業上の利用分野】
本発明は、糸巻収納ケース、たとえば釣り具の仕掛け巻を収納するケースに関する。
【０００２】
【従来の技術】
従来より、釣り用の仕掛けを巻きつけておく仕掛け巻は、１対の支杆と両支杆を連結する板部とから構成されている。この仕掛け巻は、収納ケース内に保管されて持ち運びされる。そのような仕掛け巻収納ケースとしては、実開平２−１００４７０号公報に示すものが知られている。この仕掛け巻収納ケースには、両端に仕掛け巻の両端部を係止する係止部が設けられている。
【０００３】
【発明が解決しようとする課題】
前記従来の仕掛け巻収納ケースでは、仕掛け巻の両端がケースによって係止されているために、蓋を開けた状態で仕掛け巻が収納ケースから脱落しにくい。しかし、仕掛け巻を収納ケースから取り出す際には、複数の仕掛け巻が並べて配置されているために取り出しにくい。
【０００４】
本発明の目的は、糸巻の収納ケースからの脱落を防止するとともに糸巻を取り出しやすくすることにある。
【０００５】
【課題を解決するための手段】
本発明に係る糸巻収納ケースは糸巻を収納するためのものであり、ケース本体と保持部と蓋部材とを備えている。保持部はケース本体に設けられ、糸巻を上下方向に傾斜可能に保持する。蓋部材はケース本体に係合する。そして、保持部は、ケース本体に収納される糸巻の延びる方向に中心からずれて設けられ、糸巻が上下方向に傾斜可能に回動する支点である。
【０００６】
また、別の糸巻収納ケースは、ケース本体の底面には保持部に保持された糸巻の一端が当接する支持面と、糸巻の他端に対応し支持面より低い凹部とを有している。さらに別の糸巻収納ケースでは、保持部は支持面と凹部との間の中心から凹部側にずれて設けられている。
【０００７】
【作用】
本発明の糸巻収納ケースでは、糸巻はケース本体に設けられた保持部に保持される。糸巻を糸巻収納ケースから取り出す際には、初めに蓋部材を開く。そして、糸巻を傾斜させて糸巻の一端を上昇させる。そして、この上昇させられた糸巻の一端を持って糸巻を保持部から取り外す。この糸巻収納ケースでは、糸巻は保持部により保持されているために糸巻収納ケースから脱落しにくい。しかも、糸巻の一端が上昇するためにその部分をつかみやすく、糸巻を保持部から取り出しやすい。
【０００８】
さらに、保持部が中心からずれて設けられているために、糸巻の一端は保持部が中心にある場合に比べてさらに上昇しやすくなっている。そのために、たとえば蓋を開けただけで糸巻の一端が上昇し、糸巻収納ケースからより取り出しやすい。また、別の糸巻収納ケースでは、糸巻の一端がケース本体の支持面に支持されている。糸巻の他端を押し下げて凹部に当接させると、一端が上昇する。このようにして上昇した糸巻の一端を持つことで糸巻を糸巻収納ケースから容易に取り出すことができる。この場合、糸巻の上昇する側の端部が決まっているので、糸巻を糸巻収納ケースからより取り出しやすくなる。
【０００９】
さらに別の糸巻収納ケースでは、保持部が凹部側にずれて設けられているために、糸巻の一端がさらに上昇して、糸巻を糸巻収納ケースから取り出しやすくなる。
【００１０】
【実施例】
図１及び図２は、本発明の一実施例としての仕掛け巻収納ケース１の外観を示した図である。仕掛け巻収納ケース１は図から明らかなように一方向に延びる平面ほぼ長方形の部材であり、ケース本体２とケース本体２の上部に設けられた蓋３とを有している。ケース本体２と蓋３とは一端に設けられたヒンジ５０により開閉自在に係合している。
【００１１】
図３及び図４は、蓋３を取り外した状態のケース本体２を示している。ケース本体２は、主に底部５と底部５の周囲に形成された側壁７とから構成されている。底部５の中央には、ケース本体２内を図の左右の部屋に分割する中央仕切り８が形成されている。さらに、左右の部屋において中央仕切り８及び側壁７の両端側には、４枚の個別仕切り９が形成されている。この個別仕切り９間に左右に５本ずつ仕掛け巻（後述）が収納されるようになっている。また、各個別仕切り９の間には個別仕切り９より長さの短い止め仕切り１０が形成されている。
【００１２】
底部５において、各部屋の図右側個別仕切り９部分は他の部分より高い支持面１２になっており、図右側個別仕切り９部分は他の部分より低い凹部１３となっている。底部５には、左右の部屋にケース本体１２の短手方向に並んだ３つずつの孔１１が形成されている。この孔１１には、弾性を有する保持部材４が固定されている。なお、実際には左右両側の部屋に保持部材４は固定されているが、図３及び図４では左側の部屋は保持部材４を省略した状態で示し、右側の部屋は保持部材４が固定された状態で示している。保持部材４は、図６に詳細に示すように、一方向に延びる長板部１７と、長板部１７から延びて孔１１内に固定された係合突起１８と、長板部１７から上方に延びる保持部１９とから構成されている。保持部１９は、合計１０本形成されており、１対ずつ互いに向かって突出する突出部を有している。なお、左右の部屋において孔１１は４：６の割合で凹部１３側に中心からずれて配置されているため、保持部材４も中心からずれて配置されている。なお、孔１１の位置ずれの比率は４：６に限定されることはない。
【００１３】
仕掛け巻２１は、図７及び図８に示すように、１対の長く延びる第１枠２２及び第２枠２３の両端が１対の連結部２４によって固定されてなる。各連結部２４には飾り孔２４ａが形成されている。仕掛け巻２１の中央部分には、回動部２５が設けられている。回動部２５は、連結部２４とほぼ同一の面を有する第１側壁２６及び第２側壁２７と、両側壁２６，２７を連結するとともに第２枠２３に回動自在に連結された枠部２８とから構成されている。回動部２５内の空間には、たとえば鼻環４１（図８）等が収容可能である。また、たとえば第１側壁２６には、１対の切欠き２５ａが形成されている。この切欠き２５ａを通って糸を通すことができる。
【００１４】
仕掛け巻２１は、ケース本体２内に合計１０本収納可能である。図３〜図５においては、仕掛け巻２１を１本だけ収納した例を示している。この仕掛け巻２１は、第２枠体２３が１対の保持部１９間に押し込められることで保持されている。仕掛け巻２１の一端は、ケース本体２の支持面１２に当接している。このような状態で、仕掛け巻２１は、保持部１９の支点として支持面１２に当接している側の端部が上昇するように回動可能である。
【００１５】
仕掛け巻２１を仕掛け巻収納ケース１から取り出す際には、初めに蓋３を開ける。続いて、仕掛け巻２１の図４左端部を下方に押し下げる。すると、保持部材４を支点として仕掛け巻２１が回動する。すなわち、仕掛け巻２１の図左側端部が凹部１３に当接し、図右側端部が支持面１２から離れてケース本体２より上昇する（図５）。この状態で図右側端部をもって仕掛け巻２１を保持部材４から外す。ここでは、仕掛け巻２１は端部をつかんで容易に取り外せる。特に、保持部材４が凹部１３側にずれて配置されているため、仕掛け巻２１の図右側端部の上がる位置が中心に配置された場合に比べてより高くなっている。また、支持面１２と凹部１３とによって、仕掛け巻２１の上昇する端部が揃っているために、仕掛け巻２１を取り出しやすい。
【００１６】
仕掛け巻２１の図左側端部を押し下げる代わりに、ケース本体２を傾けたり引っ繰り返したりしても、図５のように仕掛け巻２１の図右側端部がケース本体２から飛び出した状態になる。この実施例で用いた仕掛け巻２１は、回動部２５内の空間に鼻環４１を配置可能である。そのために、鼻環４１が糸に引っ掛かったりする等の不具合が生じにくい。鼻環４１を回動部２５内に配置するには、図９に示すように、枠部２８を中心に回動部２５を回動させて空間を外部に露出させる。そして、鼻環４１を回動部２５内に入れる。次に回動部２５を元の収納位置に戻して糸を巻く。回動部２５は糸によって位置決めされるために、回動部２５を特別に固定するための機構が不要である。
【００１７】
〔他の実施例〕
図１０および図１１に示すように、保持部材４の長板部１７の厚みを増して、仕掛け巻２１が保持される位置を前記実施例より高くしても良い。この場合、底部５に凹部１３を形成する必要が無くなる。すなわち、図１１に示すように仕掛け巻２１を回動させると図左側端部が底部５に当接し、図右側端部が上昇する。ここで得られる効果は前記実施例と同じである。
【００１８】
【発明の効果】
本発明の糸巻収納ケースでは、糸巻は保持部により保持されているために糸巻収納ケースから脱落しにくい。しかも、糸巻の一端が上昇するためにこの部分をつかみやすく、糸巻を保持部から取り出しやすい。また、保持部が中心からずれて設けられているために、糸巻の一端は保持部が中心にある場合に比べてさらに上昇しやすい。
【００１９】
別の糸巻収納ケースでは、糸巻の上昇する側の端部が決まっているので、糸巻を糸巻収納ケースからより取り出しやすくなる。さらに別の釣糸収納ケースでは、保持部が凹部側にずれて設けられているために、糸巻の一端がさらに上昇して、糸巻を糸巻収納ケースから取り出しやすい。
【図面の簡単な説明】
【図１】本発明の一実施例が採用された仕掛け巻収納ケースの上面図。
【図２】仕掛け巻収納ケースの正面図。
【図３】ケース本体の上面図。
【図４】図３のIV−IV断面図。
【図５】仕掛け巻をケースから取り外す際の一動作を示す、図４に相当する図。
【図６】図３のVI−VI断面図。
【図７】仕掛け巻の斜視図。
【図８】仕掛け巻の一部断面上面図。
【図９】回動部の動作を示す仕掛け巻の縦断面図。
【図１０】他の実施例における、図４の一部に対応する図。
【図１１】他の実施例における、図５の一部に対応する図。
【符号の説明】
１  仕掛け巻収納ケース
２  ケース本体
３  蓋
４  保持部材
【図１】
0003556002.tif 000002
【図２】
0003556002.tif 000003
【図３】
0003556002.tif 000004
【図４】
0003556002.tif 000005
【図５】
0003556002.tif 000006
【図６】
0003556002.tif 000007
【図７】
0003556002.tif 000008
【図８】
0003556002.tif 000009
【図９】
0003556002.tif 000010
【図１０】
0003556002.tif 000011
【図１１】
0003556002.tif 000012